(57)【特許請求の範囲】
【請求項１】
上端を略長方形開口に開放し、そして、その上端で側壁の外周面に周囲フランジを突き出す略長方形箱と、その略長方形開口において互いに向かい合う一対の短い開口縁の片側からその開口内に先端下がりに突き出される挟み止めフラップとを含み、そして、前記略長方形箱および前記挟み止めフラップとが縫合可能な軟質樹脂で一体的に成形され、前記略長方形箱の周囲フランジがトリムカバーに形成された開口の開口縁に縫合されるところの自動車に用いるフラップ付き小物入れ。
【請求項２】
上端を略長方形開口に開放し、そして、その上端で側壁の外周面に周囲フランジを突き出す略長方形箱と、その略長方形開口において互いに向かい合う一対の短い開口縁の両側からその開口内に先端下がりに突き出される一対の挟み止めフラップとを含み、そして、前記略長方形箱および前記挟み止めフラップとが縫合可能な軟質樹脂で一体的に成形され、前記略長方形箱の周囲フランジがトリムカバーに形成された開口の開口縁に縫合されるところの自動車に用いるフラップ付き小物入れ。
【請求項３】
その一対の挟み止めフラップが、一方を長く、他方を短くする請求項２に記載の自動車に用いるフラップ付き小物入れ。
【発明の詳細な説明】
【技術分野】
【０００１】
この発明は、自動車シートに用いるフラップ付き小物入れに関し、詳細には、自動車の車室内でインストルメント・パネル、コンソール・ボックスやシートのアームレストなどに組み込まれてカップ、ドリンク缶、コップなどを立てるカップ・ホルダーとして利用でき、また、電子機器などのホルダーとして利用できるところの自動車に用いるフラップ付き小物入れに関する。
【背景技術】
【０００２】
自動車のリア・シートは、センター・アームレストにカップ・ホルダーを組み込み、そして、そのセンター・アームレストを前倒しさせた状態でそのカップ・ホルダーにカップ、ドリンク缶、コップなどを立てた状態に保持させて飲み物を飲めるようにしているのが一般的である。
この種のカップ・ホルダーは、硬質樹脂から蓋付き箱に成形されてアームレストの先端に組み込まれるので、部品点数が多く構造が複雑になるに加えて硬いので、アームレストに違和感が生じる。
さらに、そのような蓋付きカップ・ホルダーでは、複数の型が必要になるに加えて型が複雑になって型費用が嵩む。
【先行技術文献】
【特許文献】
【０００３】
特開２００６−１４３１０５公報
【発明の概要】
【発明が解決しようとする課題】
【０００４】
この発明の課題は、自動車の車室内でカップ、ドリンク缶、コップなどを立てた状態で保持できて飲み物を飲めるようにするカップ・ホルダーとしてや小物入れとして利用可能にし、また、シートのアームレストに組み込まれる場合、そのアームレストの前倒しや跳上げの際、小物類のすべり落ちを防止できるように加えて無理抜きもできて電子機器などのホルダーとして利用でき、デジタル機器の操作、鑑賞を可能にするところの自動車に用いるフラップ付き小物入れを提供するにある。
【課題を解決するための手段】
【０００５】
この発明の自動車に用いるフラップ付き小物入れは、上端を略長方形開口に開放し、そして、その上端で側壁の外周面に周囲フランジを突き出す略長方形箱と、その略長方形開口において互いに向かい合う一対の短い開口縁の片側からその開口内に先端下がりに突き出される挟み止めフラップとを含み、そして、前記略長方形箱および前記挟み止めフラップとが縫合可能な軟質樹脂で一体的に成形され、前記略長方形箱の周囲フランジがトリムカバーに形成された開口の開口縁に縫合される。
【発明の効果】
【０００６】
この発明の自動車に用いるフラップ付き小物入れでは、その略長方形箱とその挟み止めフラップとが軟質樹脂、すなわち、縫製可能な軟質樹脂、エラストマーなどで一体的に成形され、自動車の車室内でインストルメント・パネル、コンソール・ボックスやシートのアームレストなどに組み込まれ、カップ、ドリンク缶、コップなどを立てた状態に保持できて飲み物を飲めるようにするカップ・ホルダーとしてや小物入れとして利用可能になり、また、そのシートのそのアームレストに組み込まれる場合、そのアームレストの前倒しや跳上げの際、小物類のすべり落ちが確実に防止されるに加えて無理抜きもできて電子機器などのホルダーとして利用可能になり、そのアームレストに違和感が無くなり、型の簡略化や型費用の削減が図られ、特に、前列シートのアームレストに組み込まれてデジタル機器を保持する場合、後列シートに着座する乗員はそのデジタル機器の操作・鑑賞ができ、リラックスできて楽しくなる。
【図面の簡単な説明】
【０００７】
【図１】３列シートのミニバンにおいて２列目の右シートのアームレストに活用されたところのこの発明の自動車に用いるフラップ付き小物入れを後方から見て部分的に示した斜視図である。
【図２】そのアームレストの前倒し状態でそのフラップ付き小物入れを示した斜視図である。
【図３】図２の３−３線に沿って示した断面図である。
【発明を実施するための形態】
【０００８】
この発明の自動車に用いるフラップ付き小物入れは、上端を略長方形開口に開放し、そして、その上端で側壁の外周面に周囲フランジを突き出す略長方形箱と、その略長方形開口において互いに向かい合う一対の短い開口縁の片側からその開口内に先端下がりに突き出される挟み止めフラップとを含み、そして、その略長方形箱とその挟み止めフラップとが軟質樹脂で一体的に成形される。
【０００９】
この発明の自動車に用いるフラップ付き小物入れは、上端を略長方形開口に開放し、そして、その上端で側壁の外周面に周囲フランジを突き出す略長方形箱と、その略長方形開口において互いに向かい合う一対の短い開口縁の両側からその開口内に先端下がりに突き出される一対の挟み止めフラップとを含み、そして、その略長方形箱とその一対の挟み止めフラップとが軟質樹脂で一体的に成形される。
勿論、その一対の挟み止めフラップが、一方を長く、他方を短くすると、小物類は使い易くなる。
【実施例１】
【００１０】
以下、特定されて図示された具体例に基づいて、この発明の自動車シートに用いるフラップ付き小物入れを説明するに、図１ないし図３は、３列シートのミニバンにおいて２列目の右シート３０のアームレスト３４に活用されたところのこの発明の自動車に用いるフラップ付き小物入れの具体例１０を示し、その右シート３０は、シート・クッション３１と、リクライニング・デバイスおよびフリー・ヒンジで前倒しおよび角度調整可能に支持されるシート・バック３２と、そのシート・バック３２のトップに取り外し可能に組み付けられるヘッドレスト３３と、そのシート・バック３２の左側面３５でそのシート・バック３２に前倒しおよび跳上げ可能に支持されるそのアームレスト３４とによって組み立てられ、そして、そのシート・クッション３２でそのミニバンのフロアに据え付けられる。
そのアームレスト３４では、その小物入れ１０は、予め、トリム・カバー３６のカップ・ホルダー開口３７にはめ合わせられてその開口３７の開口縁３８に縫い付けられ、そのトリム・カバー３６がパッド（図示せず）を支持するアームレスト・フレーム（図示せず）に被せられる際、そのアームレスト・フレームの先端で肘掛け面に開口されたカップ・ホルダー・ホール（図示せず）にはめこまれ、そして、そのアームレスト・フレームに支持されて活用可能にされる。
【００１１】
このフラップ付き小物入れ１０では、略長方形箱１１が、それの上端２２を略長方形開口２３に開放し、そして、その上端２２で側壁２０の外周面２１に周囲フランジ２８を突き出し、また、挟み止めフラップ１２が、その略長方形箱１１のその略長方形開口２３において互いに向かい合う一対の短い開口縁２６、２７の片側２７からその開口２３内に先端下がりに突き出され、そして、その略長方形箱１１とその挟み止めフラップ１２とが、軟質樹脂で一体的に成形されて柔らかい箱状成形品に仕上げられ、そして、カップ・ホルダーを兼ねて活用される。
【００１２】
この小物入れ１０は、縫製可能な軟質樹脂、エラストマーなどの軟質樹脂から成形された柔らかい略長方形の箱状成形品である。勿論、この小物入れ１０は、略長方形箱１１が、それの上端２２を略長方形開口２３に開放し、そして、その上端２２で側壁２０の外周面２１に周囲フランジ２８を突き出し、また、一対の挟み止めフラップ１２、１２が、その略長方形箱１１のその略長方形開口２３において互いに向かい合う一対の短い開口縁２６、２７の両側２６、２７からその開口２３内に先端下がりに突き出され、そして、その略長方形箱１１とその一対の挟み止めフラップ１２、１２とが、縫製可能な軟質樹脂、エラストマーなどの軟質樹脂で一体的に成形されて柔らかい箱状成形品に仕上げられ、そして、カップ・ホルダーを兼ねて活用されてもかまわない。
その場合、その一対の挟み止めフラップ１２、１２は、それの一方を長く、そして、それの他方を短くするのが望ましい。具体的には、その一方がその挟み止めフラップ１２の長さに、その他方がその挟み止めフラップ１２よりも短い長さにそれぞれ設定されるのが、小物類のすべり落ちが防止され、無理抜きもできて電子機器など、例えば、デジタル機器のホルダーに使い易くなって便利になる。
【００１３】
したがって、この小物入れ１０は、自動車の車室内でインストルメント・パネル、コンソール・ボックスやそのシート３０のそのアームレスト３４などに組み込まれてカップ、ドリンク缶、コップなどを立てた状態に保持できて飲み物を飲めるようにするカップ・ホルダーとして利用でき、また、電子機器のような小物類のホルダーとして利用可能になり、そのシート３０のそのアームレスト３４に組み込まれる場合、そのアームレスト３４の前倒しや跳上げの際、小物類のすべり落ちが確実に防止されて無理抜きもでき、そのアームレスト３４に違和感が無くなり、型の簡略化や型費用の削減が図られ、特に、その前列シート３０のそのアームレスト３４に組み込まれてデジタル機器４０を保持する場合、後列シートン着座する乗員には、そのデジタル機器４０の操作・鑑賞ができ、リラックスできて楽しくなり、そして、子供達にとっては、後席子供シアターとしてムービー鑑賞／機器操作ができてドライブが快適になる。
【００１４】
先に図面を参照して説明されたところのこの発明の特定された具体例から明らかであるように、この発明の属する技術の分野における通常の知識を有する者にとって、この発明の内容は、その発明の性質（ｎａｔｕｒｅ）および本質（ｓｕｂｓｔａｎｃｅ）に由来し、そして、それらを内在させると客観的に認められる別の態様に容易に具体化される。勿論、この発明の内容は、その発明の課題に相応し（ｂｅ  ｃｏｍｍｅｎｓｕｒａｔｅ  ｗｉｔｈ）、そして、その発明の成立に必須である。
【産業上の利用可能性】
【００１５】
上述から理解されるように、この発明の自動車に用いるフラップ付き小物入れは、上端を略長方形開口に開放し、そして、その上端で側壁の外周面に周囲フランジを突き出す略長方形箱と、その略長方形開口において互いに向かい合う一対の短い開口縁の片側からその開口内に先端下がりに突き出される挟み止めフラップとを含み、そして、その略長方形箱とその挟み止めフラップとが軟質樹脂で一体的に成形されるので、この発明の自動車に用いるフラップ付き小物入れでは、自動車の車室内でインストルメント・パネル、コンソール・ボックスやシートのアームレストなどに組み込まれてカップ、ドリンク缶、コップなどを立てた状態に保持できて飲み物を飲めるようにするカップ・ホルダーとして利用でき、また、電子機器のような小物類のホルダーとして利用可能になり、そのシートのそのアームレストに組み込まれる場合、そのアームレストの前倒しや跳上げの際、小物類のすべり落ちが確実に防止されて無理抜きもでき、そのアームレストに違和感が無くなり、型の簡略化や型費用の削減が図られ、特に、前列シートのアームレストに組み込まれてデジタル機器を保持する場合、後列シートン着座する乗員には、そのデジタル機器の操作・鑑賞ができ、リラックスできて楽しくなり、そして、子供達にとっては、後席子供シアターとしてムービー鑑賞／機器操作ができてドライブが快適になり、その結果、自動車にとって非常に有用で実用的である。
【符号の説明】
【００１６】
１０  フラップ付き小物入れ
１１  略長方形箱
１２  挟み止めフラップ
１９  底壁
２０  側壁
２１  外周面
２２  上端
２３  略長方形開口
２４  長い開口縁
２５  長い開口縁
２６  短い開口縁
２７  短い開口縁
２８  周囲フランジ
３０  右シート
３１  シート・クッション
３２  シート・バック
３３  ヘッドレスト
３４  アームレスト
３５  左側面
３６  トリム・カバー
３７  カップ・ホルダー開口
３８  開口縁
４０  デジタル機器
【図１】
0005575540.tif 000002
【図２】
0005575540.tif 000003
【図３】
0005575540.tif 000004